(57)【要約】【課題】被介護人をベッド、または床に直接敷いた布団から起こし、更に、体の向きを変えることができる起き上り補助器を提供すること。【解決手段】上下のベルトコンベヤを設け、柔らかい布団に対して、走行可能な無限軌道走行コンベヤを設け、駆動ギヤー５１を介して、上方のベルトコンベヤを回転させ、被介護人の乗り移りを行う。ガススプリング５０により、軽い力で被介護人とともに背もたれ部を起こす。左右の無限軌道走行コンベヤ４０で、起き上り補助器の向きを変える。【選択図】        図２
2004215725.tif 000002
【特許請求の範囲】
【請求項１】
上下のベルトコンベヤによる起き上り補助器。
【請求項２】
無限軌道の走行コンベヤを備え、請求項１記載の起き上り補助器。
【発明の詳細な説明】
【０００１】
【発明が属する技術分野】
本発明は、被介護人を起こすため、上下のベルトコンベヤによる起き上り補助器に関する。
【０００２】
【従来の技術】
被介護人をベッドから起こす作業は、介護人が体をねじ曲げた状態で、抱き起こすか、専用のリクライニングベッドで行う。
【０００３】
【発明が解決しようとする課題】
被介護人をベッド、または床や畳に直接敷いた布団から抱き起こす作業は、体をねじ曲げた状態の介護人の腰に、負担をかけ、腰痛を引き起こすことがある。
【０００４】
専用のリクライニングベッドがあるが、被介護人の体の向きを変えるには、スリングシート等で吊り上げる介護リフトが必要となる。
【０００５】
そこで、本発明は、被介護人をベッド、または床や畳に直接敷いた布団から起こし、更に、体の向きを変えることができる起き上り補助器を提供することを課題とする。
【０００６】
【課題を解決するための手段】
柔らかい布団に対して、走行可能な無限軌道の下方のベルトコンベヤと、上方のベルトコンベヤにより、被介護人の乗り移りができることを特徴とする。
【０００７】
上方のベルトコンベヤは、背もたれ部ベルトコンベヤと座部ベルトコンベヤから成る。
【０００８】
下方の走行コンベヤは、無限軌道の背もたれ部走行コンベヤと座部走行コンベヤから成る。
【０００９】
背もたれ部ベルトコンベヤは、座部ベルトコンベヤに取付けたガススプリングにより支える。
【００１０】
【発明の実施の形態】
以下、図示により本発明の実施の形態について説明する。
【００１１】
図２は、本発明の実施の形態に係る起き上り補助器の斜視図であり、説明のため、背もたれ部ベルト１１、座部ベルト３１の幅を切断している。
ベルト１１、２１、３１、４１は、表カバー面がウレタンゴム等の弾性体のゴムベルトまたは、樹脂ベルトを使用する。
【００１２】
背もたれ部ベルトコンベヤ１０と座部ベルトコンベヤ３０は、アイドルギヤー５２を介して駆動ギヤー５１で噛合い、同一方向に回転する。
また、背もたれ部ベルトコンベヤ１０は、アイドルギヤー５２と係合した同調軸５４を中心に回転する。同調軸５４は座部コンベヤフレーム３２に固定したブラケット５３に支持される。
【００１３】
図３（ｂ）で示すように、背もたれ部ベルトコンベヤ１０と背もたれ部走行コンベヤ２０は、駆動ギヤー５１で噛合い、逆方向に回転する。
【００１４】
図３（ａ）で示すように、背もたれ部ベルトコンベヤ１０と座部ベルトコンベヤ３０がほぼ水平な状態で、被介護人と布団等の間に、起き上り補助器を挿入する。
【００１５】
背もたれ部取手６１を押し、無限軌道の背もたれ部走行コンベヤ２０が被介護人側（右→左）へ走行すると、背もたれ部ベルトコンベヤ１０及び、座部ベルトコンベヤ３０の逆方向回転により、被介護人は、座部ベルトコンベヤ３０側（左→右）へ乗り移る。
【００１６】
更に、被介護人の体重により、背もたれ部ローラー１３と背もたれ部走行ローラー２３は、背もたれ部ベルト１１及び背もたれ走行部ベルト２１を介して、ピンチローラーとなり上下ベルトコンベヤのスリップを防止する。
【００１７】
図６（ｃ）で示すように、背もたれ部ローラー１３と背もたれ部走行ローラー２３との間に、圧縮バネ７３を取付け、ピンチ力を増大させてもよい。
また、ベルト１１、２１、３１，４１の帆布面に接着したウレタンゴム等の弾性体のＶ桟７１と、ローラー１３、２３，３３，４３に設けたＶ溝ガイド７２により、ベルトの蛇行を防止する。
【００１８】
つぎに、座部ベルトコンベヤ３０が被介護人の尻部に到達してから、図４で示すように、背もたれ部取手６１に取付けたレバー６３を引き、背もたれ部コンベヤフレーム１２を引き起こす。この時、ガススプリング５０は、介護人の引き起こす力を軽減させる方向に動作する。
【００１９】
図２で示すように、ガススプリング５０は、油圧ロック機構付を採用、ロック板５５とレバー６３はブレーキケーブル６４で連結され、レバー６３を引くと、油圧ロック機構は解除されガス反力が働く。
【００２０】
被介護人を起こした状態で、起き上り補助器の向きを変えるには、図５で示すように、背もたれ部取手６１または、座部取手６２を水平方向に移動回転させると、左右の無限軌道の座部走行コンベヤ４０が、各々自由に回転し、起き上り補助器の向きが変わる。
【００２１】
【発明の効果】
本発明の起き上り補助器は、介護人を乗り移らせ、軽い力で被介護人を起こし、向きを変えることができる。また、図１のように収納でき、持ち運ぶこともできる。
更に、コンベヤローラーによるローラーマッサージ、及び床ずれ防止が期待できる。
【図面の簡単な説明】
【図１】本発明の起き上り補助器を示し、（ａ）は収納時の斜視図で、（ｂ）は背もたれ部を起こした状態の斜視図である。
【図２】背もたれ部を起こした状態の起き上り補助器で、上方のベルト幅を切断した実施の形態に係る斜視図である。
【図３】（ａ）は被介護人に起き上り補助器を挿入した状態の側面図である。（ｂ）はギヤーの噛合い連動の部分詳細図である。
【図４】被介護人を起こした状態の側面図である。
【図５】背もたれ部を起こした状態の正面図である。
【図６】上下のベルトコンベヤの部分詳細を示し、（ａ）は平面図、（ｂ）は正面図、（ｃ）は側面図である。
【符号の説明】
１０    背もたれ部ベルトコンベヤ
１１    背もたれ部ベルト
１２    背もたれ部コンベヤフレーム
１３    背もたれ部ローラー
２０    背もたれ部走行コンベヤ
２１    背もたれ走行部ベルト
２２    背もたれ走行部コンベヤフレーム
２３    背もたれ走行部ローラー
３０    座部ベルトコンベヤ
３１    座部ベルト
３２    座部コンベヤフレーム
３３    座部ローラー
４０    座部走行コンベヤ
４１    座部ベルト
４２    座部走行コンベヤフレーム
４３    座部走行ローラー
５０    ガススプリング
５１    駆動ギヤー
５２    アイドルギヤー
５３    ブラケット
５４    同調軸
５５    ロック板
６１    背もたれ部取手
６２    座部取手
６３    レバー
６４    ブレーキケーブル
７１    Ｖ桟
７２    Ｖ溝ガイド
７３    圧縮バネ
【図１】
2004215725.tif 000003
【図２】
2004215725.tif 000004
【図３】
2004215725.tif 000005
【図４】
2004215725.tif 000006
【図５】
2004215725.tif 000007
【図６】
2004215725.tif 000008